(57)【要約】【課題】複数の撮像部を搭載し、簡単な操作により各撮像部の動作を制御することが可能な携帯端末を提供する。【解決手段】２つの筐体をヒンジ部２４により開閉可能に連結し、第２筐体１０に対し、第１筐体１７を開閉方向と直交する方向に回転可能に構成し、第１筐体１７の開閉方向に直交する面の一方に設けられたカメラ２０と、２つの筐体のなす角度が略９０度になるように開き、第１筐体１７を第２筐体１０に対して略９０度回転した状態において、２つの筐体のうち、カメラ２０を設けた面の反対面側に露出している面に設けられたカメラ２１と、２つの筐体のなす角度の変化により２つの筐体の位置関係を判定するセンサ部２７とを備え、２つの筐体が開かれ、カメラ２０が動作している状態で、センサ部２７により２つの筐体が閉じられる方向に変化していると判定されたとき、カメラ２０の動作を停止する。【選択図】　図１
2004140434.tif 000002
【特許請求の範囲】
【請求項１】
略直方体形状の２つの筐体をヒンジ部により開閉可能に連結し、一方の筐体に対し、他方の筐体を前記開閉方向と直交する方向に回転可能に構成した携帯端末であって、
前記他方の筐体の前記開閉方向に直交する面の一方に設けられた第１撮像部と、
前記２つの筐体を前記２つの筐体のなす角度が略９０度になるように開き、更に、前記他方の筐体を前記一方の筐体に対して略９０度回転した状態において、前記２つの筐体のうち、前記第１撮像部を設けた面の反対面側に露出している面に設けられた第２撮像部と、
前記２つの筐体のなす角度の変化により前記２つの筐体の位置関係を判定する位置判定手段とを備え、
前記２つの筐体が開かれ、前記第１撮像部が動作している状態で、前記位置判定手段により前記２つの筐体が閉じられる方向に変化していると判定されたとき、前記第１撮像部の動作を停止する携帯端末。
【請求項２】
請求項１記載の携帯端末であって、
前記２つの筐体のなす角度が略９０度になるように開かれ、更に、前記他方の筐体が前記一方の筐体に対して略９０度回転され、前記第２撮像部が動作している状態から、前記位置判定手段により、前記２つの筐体が開けられる方向又は閉じられる方向に変化していると判定されたとき、前記第２撮像部の動作を停止する携帯端末。
【請求項３】
請求項１又は２記載の携帯端末であって、
前記２つの筐体が開かれ、前記第１撮像部が動作している状態で、前記位置判定手段により、前記２つの筐体のなす角度が略９０度に変化したと判定されたとき、前記第１撮像部の動作を停止すると共に、前記第２撮像部を起動する携帯端末。
【請求項４】
請求項１又は２記載の携帯端末であって、
前記２つの筐体のなす角度が略９０度になるように開かれ、更に、前記他方の筐体が前記一方の筐体に対して略９０度回転され、前記第２撮像部が動作している状態から、前記位置判定手段により、前記２つの筐体が開けられる方向に変化していると判定されたとき、前記第２撮像部の動作を停止すると共に、前記第１撮像部を起動する携帯端末。
【発明の詳細な説明】
【０００１】
【発明の属する技術分野】
本発明は、２つの筐体をヒンジ部を介して開閉可能に連結した携帯端末に係り、特に複数の撮像部を備えた携帯端末に関する。
【０００２】
【従来の技術】
従来から、上筐体と下筐体とをヒンジ部により開閉可能に連結し、更に、下筐体に対し、上筐体を上記開閉方向と直交する方向に回転可能に構成した携帯端末が提案されている。
【０００３】
この携帯端末には、更に、上筐体の一方の面にカメラとディスプレイを搭載し、ヒンジ部の一端にもカメラを搭載した構成となっている。尚、上記ディスプレイは、動作しているカメラからの映像を表示するものである。
【０００４】
このように構成された携帯端末は、上筐体と下筐体との角度が９０度になるように開閉し、更に上筐体を下筐体に対して９０度回転させた状態で、モニタ付きビデオカメラとして使用することができるようになっている。
【０００５】
又、上記の携帯端末は、上筐体と下筐体との開閉位置や回転位置によって、携帯端末の各種機能の起動を制御することが可能である。例えば、上述したように、上筐体と下筐体を９０度の角度に開き、更に上筐体を９０度回転させた場合は、自動的にビデオカメラモードが起動するよう構成されている（例えば、特許文献１参照）。
【０００６】
【特許文献１】
特開２００１−１６９１６６号公報
【０００７】
【発明が解決しようとする課題】
上記従来の携帯端末では、上筐体と下筐体との位置関係によって各種機能を起動させることは可能であるが、例えば、ビデオカメラモードが起動された後、２つのカメラのうち、どちらのカメラを撮影に用いるカメラとするか等の操作は、ユーザ本人が行わなければならない。つまり、デジタルカメラモードを簡単な操作により自動的に起動させることはできるが、カメラ自体の動作制御は自動的には行われていなかった。
【０００８】
本発明は、上記事情に鑑みて為されたものであり、複数の撮像部を搭載した携帯端末において、簡単な操作により各撮像部の動作を制御することが可能な携帯端末を提供することを目的とする。
【０００９】
【課題を解決するための手段】
本発明の携帯端末は、略直方体形状の２つの筐体をヒンジ部により開閉可能に連結し、一方の筐体に対し、他方の筐体を前記開閉方向と直交する方向に回転可能に構成した携帯端末であって、前記他方の筐体の前記開閉方向に直交する面の一方に設けられた第１撮像部と、前記２つの筐体を前記２つの筐体のなす角度が略９０度になるように開き、更に、前記他方の筐体を前記一方の筐体に対して略９０度回転した状態において、前記２つの筐体のうち、前記第１撮像部を設けた面の反対面側に露出している面に設けられた第２撮像部と、前記２つの筐体のなす角度の変化により前記２つの筐体の位置関係を判定する位置判定手段とを備え、前記２つの筐体が開かれ、前記第１撮像部が動作している状態で、前記位置判定手段により前記２つの筐体が閉じられる方向に変化していると判定されたとき、前記第１撮像部の動作を停止するものである。
【００１０】
この構成により、第１撮像部が動作している状態において２つの筐体を閉じることで、第１撮像部の動作が停止する。したがって、キー操作などによる第１撮像部の停止操作を行う必要がないため、簡単な操作により第１撮像部の動作を制御することができる。
【００１１】
又、本発明の携帯端末は、前記２つの筐体のなす角度が略９０度になるように開かれ、更に、前記他方の筐体が前記一方の筐体に対して略９０度回転され、前記第２撮像部が動作している状態から、前記位置判定手段により、前記２つの筐体が開けられる方向又は閉じられる方向に変化していると判定されたとき、前記第２撮像部の動作を停止する。
【００１２】
この構成により、第２撮像部が動作している状態から、２つの筐体の開閉を行うことで第２撮像部の動作が停止する。したがって、キー操作などによる第２撮像部の停止操作を行う必要がないため、簡単な操作により第２撮像部の動作を制御することができる。
【００１３】
又、本発明の携帯端末は、前記２つの筐体が開かれ、前記第１撮像部が動作している状態で、前記位置判定手段により、前記２つの筐体のなす角度が略９０度に変化したと判定されたとき、前記第１撮像部の動作を停止すると共に、前記第２撮像部を起動する。
【００１４】
この構成により、第１撮像部が動作している状態で、２つの筐体のなす角度が略９０度になるように２つの筐体を閉じることで、第１撮像部の動作が停止し、第２撮像部が起動する。このように、キー操作などによる撮像部動作の切り替え操作を行う必要がないため、簡単な操作により、互いに撮影方向の異なる撮像部の動作切り替えを素早く行うことができる。
【００１５】
又、本発明の携帯端末は、前記２つの筐体のなす角度が略９０度になるように開かれ、更に、前記他方の筐体が前記一方の筐体に対して略９０度回転され、前記第２撮像部が動作している状態から、前記位置判定手段により、前記２つの筐体が開けられる方向に変化していると判定されたとき、前記第２撮像部の動作を停止すると共に、前記第１撮像部を起動する。
【００１６】
この構成により、第２撮像部が動作している状態で、２つの筐体を開く操作を行うことで、第２撮像部の動作が停止し、第１撮像部が起動する。このように、キー操作などによる撮像部動作の切り替え操作を行う必要がないため、簡単な操作により、互いに撮影方向の異なる撮像部の動作切り替えを素早く行うことができる。
【００１７】
【発明の実施の形態】
以下、本発明の実施形態について図面を参照して説明する。
図１及び図２は本発明の実施形態に係る携帯端末の外観構成を示す斜視図である。尚、図１は、本実施形態に係る携帯端末（携帯電話機や携帯情報端末など）において、第１回動軸３０の軸周りに第１筐体１７を回動させて開いた状態を示している。
【００１８】
携帯端末は、側面１８とそれに隣接する側面１９（開閉方向に直交する面）とを有する略直方体形状の第１筐体１７と、側面１１とそれに隣接する側面１２とを有する略直方体形状の第２筐体１０とが第１回動軸３０で開閉可能に、且つ第１筐体１７を第１回動軸３０と直交方向の第２回動軸２９で回動可能なように、第１筐体１７と第２筐体１０とを連結するヒンジ部２４を備えて構成されている。
【００１９】
本実施形態では、ヒンジ部２４は、第２筐体１０側の基端部に設けられて第１筐体１７と連結される構造となっており、第１回動軸３０がヒンジ部２４の長手方向に形成され、第２回動軸２９が第１筐体１７の中心部において第１回動軸３０と直交方向に形成される。
【００２０】
又、ヒンジ部２４には、第１筐体１７と第２筐体１０とが第１回動軸３０を介して回動したときに、センサ２３とともに第１筐体１７と第２筐体１０とのなす角度を検出するためのマグネット２６を有し、更に、第１回動軸３０方向に向いた一方の側面部にカメラ２１（第２撮像部）を、他方の側面部にカメラ２１の操作に用いる操作ボタン（ズームボタン１３と撮影ボタン１４）とを有している。
【００２１】
第１筐体１７は、閉じた状態で下筐体１０と対向する面にカメラ２０（第１撮像部）と、カメラ２０及びカメラ２１により撮影された映像を表示する表示モニタ２５とを備える。又、内部には、ヒンジ部２４の回動動作を検出するためのセンサ２３が、ヒンジ部２４のマグネット２６が設けられた位置近傍に設けられている。
【００２２】
下筐体１０は、閉じた状態で表示モニタ２５と対向する面に文字や電話番号などの情報を入力するための操作キー１５と、音声入力用のマイク１６とを備える。
【００２３】
本実施形態の携帯端末では、使用者が、側面１９の前方を撮影したい場合、携帯電話機を図１に示したような状態にして、撮影モードに設定することで、カメラ２０により側面１９の前方、即ち、使用者の顔画像などを撮影することができ、撮影されている映像を表示モニタ２５で確認することが可能である。
【００２４】
尚、本実施形態では、ヒンジ部２４の回動（第１筐体１７と第２筐体１０とのなす角度）を検出するための手段としてセンサ２３とマグネット２６から構成されるセンサ２７を用いているが、図３に示したように、ヒンジ部２４の内部にスライドスイッチ２８を設け、第１筐体１７が回動したときにスライドスイッチ２８が切り替わることにより、その回動を検出するような構造にしても良い。
【００２５】
図２では、本実施形態に係る携帯端末において、第１筐体１７を第２回動軸２９の軸周りに回動させて、第１筐体１７と第２筐体１０とがなす角度を略９０度とした場合の構成を示している。
【００２６】
本実施形態の携帯端末は、図２のような状態にすることで、カメラ２１で撮影した映像を表示モニタ２５に表示できるようになっている。このため、カメラ２１によって表示モニタ２５と反対側の風景などを撮影することで、表示モニタ２５をカメラのファインダのように利用し、撮影されている映像を確認しながら撮影が可能である。
【００２７】
尚、カメラ２１を配置する位置は、携帯端末が図２に示した状態において、第１筐体１７及び第２筐体１０の面のうち、第１筐体１７の側面１９の反対面側に露出している面上（側面１９の反対面と側面１１）であればどの位置に配置しても構わない。
【００２８】
例えば、図４に示したように、カメラ２１と共に、側面１９の反対面の任意の位置にカメラ２２を設けたり、或いはカメラ２１の代わりにカメラ２２のみを設けたりする構成としても良い。このように、本実施形態に係る携帯端末では、互いに反対方向の映像を撮影できるように複数のカメラを配置している。
【００２９】
以上のように構成された携帯端末は、第１筐体１７と第２筐体１０とをそれぞれ適した方向にセットすることで、電話機能、テレビ電話機能、デジタルカメラ機能、及びデジタルビデオカメラ機能などの様々な機能として動作する。又、本実施形態の携帯端末では、第１筐体１７と第２筐体１０との位置関係をセンサ２７により検出することで、その位置関係により各カメラの動作を切り替えることが可能である。
【００３０】
以下、本実施形態に係る携帯端末の動作について説明する。
図５は、本発明の実施形態に係る携帯端末の動作を説明するためのフローチャートである。
ユーザの操作により、携帯端末が図１に示したような状態になっており、更にカメラ２０が起動して動作している状態（Ｓ５０１）において、センサ２７は第１筐体１７と第２筐体１０とのなす角度を検出する（Ｓ５０２）。ユーザにより、第１筐体１７が第１回動軸３０の軸周りに回動され、第１筐体１７と第２筐体１０とのなす角度が検出され、両者が閉じられる方向に変化していると判断された場合（Ｓ５０３：ＹＥＳ）、カメラ２０の動作が停止する（Ｓ５０４）。
【００３１】
更に、第１回動軸３０の軸周りに第１筐体１７が回動され、第１筐体１７と第２筐体１０とのなす角度が略９０度になると（Ｓ５０５：ＹＥＳ）、カメラ２１が起動し、表示モニタ２５にはカメラ２１により撮影されている映像が表示される（Ｓ５０６）。一方、第１筐体１７と第２筐体１０が完全に閉じられた場合（Ｓ５０５：ＮＯ）、全てのカメラ動作を終了し、携帯端末は通常の待受状態に戻る。
【００３２】
Ｓ５０６において、カメラ２１が起動して動作している状態では、センサ２７により第１筐体１７と第２筐体１０とのなす角度が検出される（Ｓ５０７）。ユーザにより、第１筐体１７が第２回動軸２９の軸周りに回動されて第１筐体１７と第２筐体１０とが互いに平行となり、更に、第１筐体１７が第１回動軸３０の軸周りに回動されると、第１筐体１７と第２筐体１０とのなす角度の変化が検出され（Ｓ５０８：ＹＥＳ）、カメラ２１の動作が停止する（Ｓ５０９）。
【００３３】
更に、センサ２７により検出された第１筐体１７と第２筐体１０とのなす角度により、第１筐体１７と第２筐体１０とが第１回動軸３０の軸周りに回動して閉じられていることが検出されると（Ｓ５１０：ＮＯ）、全てのカメラ動作を終了し、携帯端末は通常の待受状態に戻る。
【００３４】
一方、第１筐体１７と第２筐体１０とが第１回動軸３０の軸周りに回動して開かれていることが検出されると（Ｓ５１０：ＹＥＳ）、カメラ２０が起動し、表示モニタ２５にはカメラ２０により撮影されている映像が表示される（Ｓ５１１）。その後、Ｓ５０１に動作を移行し、上記のステップが繰り返される。
【００３５】
以上のように、本実施形態によれば、第１筐体１７と第２筐体１０との位置を変化させることで、カメラ２０とカメラ２１との動作の切り替えを行うことができる。例えば、携帯端末を図１のような状態で使用し、ユーザが自分の顔を撮影しているときに、突如、自分の顔がある側と反対側（側面１９の反対面側）の風景を撮影したくなった場合でも、携帯端末を図２のような状態に変化させるだけで、カメラ２１が起動するため、簡単な操作により側面１９の反対面側の風景の撮影を開始することができる。
【００３６】
一方で、その逆も可能なため、側面１９の反対面側を撮影しているときでも、携帯端末を図１のような状態に変化させるだけで、側面１９の前方側の撮影を開始することができる。
【００３７】
又、カメラ２０やカメラ２１が動作している状態から、携帯端末を閉じる（大地筐体１７と第２筐体１０とを第１回動軸３０の軸周りに互いが接触するように回動させる）操作を行うことで、カメラ２０やカメラ２１は自動的に動作を停止する。このため、キー操作部を操作してカメラの動作停止作業を行う必要がなく、簡単にカメラの動作を停止させることができる。
【００３８】
以上のことから、本実施形態に係る携帯端末は、各カメラの動作制御を構造的に切り替えたり、停止させたりすることができるため、キー操作を行うことによる電力消費を無くすことができる。又、キー操作を不要とすることによる操作性の向上、素早い撮影が可能などの効果を得ることができる。
【００３９】
【発明の効果】
本発明によれば、複数の撮像部を搭載した携帯端末において、簡単な操作により各撮像部の動作を制御することが可能な携帯端末を提供することができる。
【図面の簡単な説明】
【図１】本発明の実施形態に係る携帯端末の外観構成を示す斜視図である。
【図２】本発明の実施形態に係る携帯端末の外観構成を示す斜視図である。
【図３】本発明の実施形態に係る携帯端末の外観構成を示す斜視図である。
【図４】本発明の実施形態に係る携帯端末の外観構成を示す斜視図である。
【図５】本発明の実施形態に係る携帯端末の動作を説明するためのフローチャートである。
【符号の説明】
１０　第２筐体
１３　ズームボタン
１４　撮影ボタン
１６　マイク
１７　第１筐体
２０、２１、２２　カメラ
２３　センサ
２４　ヒンジ部
２５　表示モニタ
２６　マグネット
２７　センサ部
２９　第２回動軸
３０　第１回動軸
【図１】
2004140434.tif 000003
【図２】
2004140434.tif 000004
【図３】
2004140434.tif 000005
【図４】
2004140434.tif 000006
【図５】
2004140434.tif 000007